(57)【要約】  【課題】  ブレースバーの堅固性を保ちながら柔軟性をさらに向上させることにより、表板の響きを向上させて残響がより長く持続するようにし且つブレースバーを軽量化してギターの全重量を減らすことにより、演奏者に便利さを提供する、ギターの表板の内面に取り付けられるブレースバーを提供する。  【解決手段】  ギターの表板１ａの内面に取り付けられ、表板１ａを支持するブレースバー６において、断面上の側面輪郭線が、下端から所定の高さまでは垂直であり、該所定の高さの位置から中心側に湾曲した後、上端に向かってテーパー状に設けられている部分を含む。【選択図】      図６
2005156637.tif 000002
【特許請求の範囲】
【請求項１】
ギターの表板の内面に取り付けられ、該表板を支持するブレースバーにおいて、
断面上の側面輪郭線が、下端から所定の高さまでは垂直であり、該所定の高さの位置から中心側に湾曲した後、上端に向かってテーパー状に設けられている部分を含むことを特徴とするブレースバー。
【請求項２】
前記側面輪郭線が両側面にそれぞれ形成されていることを特徴とする請求項１記載のブレースバー。
【請求項３】
前記側面輪郭線が一側面に形成され、他側面は垂直面からなることを特徴とする請求項１記載のブレースバー。
【発明の詳細な説明】
【技術分野】
【０００１】
本発明は、ギターの表板（サウンドボード：ｓｏｕｎｄ  ｂｏａｒｄ）の内面に取り付けられ、表板の変形を防止するブレースバー（ｂｒａｃｅ  ｂａｒ）に関し、さらに詳しくは、表板を支持するブレースバーの形状を変更して表板の堅固性を保ちつつ柔軟性をさらに向上させて表板の響き性能を向上させることにより、軽量化して使用上の利便性を向上させる、ギターの表板の内面に取り付けられるブレースバーに関する。
【背景技術】
【０００２】
一般に、ギターは、図１及び図２に示すように、上部に表板１ａが接着されるギター胴１と、前記ギター胴１の内部に接着されるもので、後述のネックを連結するための溝が設けられている木材のブロック２と、前記ブロック２の溝２ａにヒール（ｈｅｅｌ）３ｂの挿入部３ａが挿着されて連結されるネック３と、ネックの上面に接着される指板４と、前記ギター胴１の表板１ａの上面に設置されたブリッジ５と、前記表板１ａの下面に接着されるブレースバー６と、前記ネック３の先端に設けられているヘッド７と、前記ブリッジ５とヘッド７との間に連結されたギター線８と、ネック３の上部中央に長手方向に設置され、指板４の平面状態を調整する指板調整鉄芯９とを含んでなる。
【０００３】
このように構成されるギターは、演奏時に表板１ａが響くことにより、演奏音が長く持続して特有のギター音が発生する。
【０００４】
このように重要な機能を果たす表板１ａを、長期間使用しても変形しないようにするためには、図３及び図４に示すように、表板１ａの内面に種々のブレースバー１６、１６'、１６ａ、１６'ａ、１６ｂ、１６'ｂが接着されるべきである。ギターは表板１ａの内面に取り付けられたブレースバーが堅いほど寿命が長く、一方、軟らかいほど表板１ａの響き性に優れるので、澄んだ音が長く持続する。
【０００５】
ブレースバーが堅くなければ、表板１ａは、使用期間が経つにつれて外部に膨らむので音質が変化してギターの寿命が短くなる。ところが、ブレースバーが必要以上に堅くて柔軟性がなければ、表板１ａは変形しないが、響き性が低下して残響が長く持続せず、鈍くて短い音がするという問題点がある。
【０００６】
したがって、ブレースバーは堅固性と柔軟性を同時に備えることが好ましい。また、ブレースバーの形状、数及び付着構造は、ギターの性能及び耐久性において非常に重要である。
【０００７】
図３及び図４は従来のギターにおいて表板１ａの内面に取り付けられたブレースバーの状態を示している。図示の如く、従来の２種類の例において、ブレースバーの形状、数及び付着構造は互いに類似している。すなわち、２つの主ブレースバー１６、１６'がＸ字状に取り付けられており、その周囲に補助ブレースバー１６ａ、１６ｂ、１６'ａ、１６'ｂが取り付けられている。これらのブレースバーの形状、数及び付着構造は互いに類似しているが、図３の主ブレースバー１６及び補助ブレースバー１６ａは上面中間部分ａが下方に湾曲した形状をしており、一方、図４の主ブレースバー１６'及び補助ブレースバー１６'ａは上面中間部分が湾曲した部分なく平らになっているが、図５から分るように、中間高さから上端までの部分ｂが断面上で放物線状に設けられた部分を含んでいる。
【０００８】
図３のブレースバー１６、１６ａは、幅より高さを高くして堅固性を保ちながらも、上面中間部分ａを湾曲させて柔軟性を持つようにし、図４のブレースバー１６'、１６'ａは、図５から分るように、中間高さから上端までの部分ｂを断面上で放物線状に形成して断面積を小さくして柔軟性を持つようにする。このようにブレースバーの柔軟性によって表板１ａの響き性能が向上し、中低音が長く持続する。
【特許文献１】特開平６−３５４４８号公報
【発明の開示】
【発明が解決しようとする課題】
【０００９】
本発明はかかる観点からブレースバーの堅固性を保ちつつ柔軟性をさらに向上させようとするものである。
【００１０】
本発明は、前述した従来の技術を勘案して創案されたもので、その目的は、ブレースバーの堅固性を保ちながら柔軟性をさらに向上させることにより、表板の響きを向上させて残響がより長く持続するようにし且つブレースバーを軽量化してギターの全重量を減らすことにより、演奏者に便利さを提供する、ギターの表板の内面に取り付けられるブレースバーを提供することにある。
【課題を解決するための手段】
【００１１】
上記目的を達成するための本発明のブレースバーは、ギターの表板の内面に取り付けられ、該表板を支持するブレースバーにおいて、断面上の側面輪郭線が、少なくとも一側面において、下端から所定の高さまでは垂直であり、該所定の高さの位置から中心側に湾曲した後、上端に向かってテーパー状に設けられている部分を含むことを特徴とする。
【発明の効果】
【００１２】
本発明の表板の内面に取り付けられるブレースバーは、堅固性を保ちながらも柔軟性をさらに向上させることにより、表板の響き性を向上させて残響がより長く持続し且つブレースバー及びギターの全重量が小さく演奏者に使用上の便利さを提供するという効果を発揮する。
【発明を実施するための最良の形態】
【００１３】
以下、本発明を添付図面に基づいてより詳細に説明する。
【００１４】
図６は本発明の一実施例に係る、ギターの表板の内面に取り付けられたブレースバーを示す斜視図、図７は図６に示した主ブレースバーの一部を示す拡大斜視図、図８は図６のＢ−Ｂ'線に沿ったブレースバーの拡大断面図、図９は本発明の他の実施例に係るブレースバーの断面図である。
【００１５】
図６及び図７に示すように、本発明の一実施例に係るブレースバー２６、２６ａは、従来の如くギターの表板１ａの内面に取り付けられ、表板１ａを支持する機能を果たす。ブレースバー２６、２６ａは、図８に示すように、断面上の側面輪郭が、下端から所定の高さ（ｈ）までは垂直であり、該所定の高さの位置（ｐ）から中心側に湾曲した後、上端に向かってテーパー状になっている輪郭線を有する部分（ｃ）を含む。
【００１６】
図８に示した実施例は、両側面に前述の輪郭線がそれぞれ形成されたもので、図９に示した実施例は、一側面にのみ前述の輪郭線が形成され、他側面は垂直に形成されたものである。図８のブレースバーにおける両側面の湾曲の程度と図９のブレースバーにおける一側面の湾曲の程度とは互いに類似する。したがって、２種のブレースバーは略同一の堅固性及び柔軟性を有する。
【００１７】
本発明のブレースバーの一部は、断面上の側面輪郭が下端から所定の高さまでは垂直であり、所定の高さから図５の場合の如く放物線状に湾曲するのではなく、内側に湾曲した後上端に向かってテーパー状になっているので、側面の湾曲の程度が図５の場合より大きい。そして、ブレースバーの全高を図５の場合よりやや高くすると、図５のブレースバーと同一の堅固性を有しながらも、向上した柔軟性を有することになる。
【００１８】
前述したように、ブレースバーの柔軟性が向上すると、表板の響き性能が向上してギター演奏の際に残響がより長く持続するという効果がある。
【００１９】
また、本発明のブレースバーは、図５の場合より側面の湾曲の程度が大きいので、重量がやや少なくなり、これによりギターの重量も減少して演奏者がより便利に使用することが可能である。
【００２０】
本発明は、実施例についてのみ詳細に説明されたが、本発明の思想と範囲から逸脱することなく様々な変更又は変形が可能なのは当該技術分野で通常の知識を有する者には明らかなことである。よって、そのような変更又は変形は特許請求の範囲に属するものと理解すべきである。
【図面の簡単な説明】
【００２１】
【図１】一般的なギターの分解斜視図である。
【図２】図１のギターの断面図である。
【図３】ギターの表板の内面に取り付けられた従来の一例のブレースバーを示す斜視図である。
【図４】ギターの表板の内面に取り付けられた従来の他の例のブレースバーを示す斜視図である。
【図５】図４のＡ−Ａ’線に沿ったブレースバーの断面図である。
【図６】本発明の一実施例に係るギターの表板の内面に取り付けられたブレースバーを示す斜視図である。
【図７】図６に示した主ブレースバーの一部を示す拡大斜視図である。
【図８】図６のＢ−Ｂ’線に沿ったブレースバーの拡大断面図である。
【図９】本発明の他の実施例に係るブレースバーの断面図である。
【符号の説明】
【００２２】
１  ギター胴
１ａ  表板
２  ブロック
３  ネック
３ａ  挿入部
３ｂ  ヒール（ｈｅｅｌ）
４  指板
５  ブリッジ
６  ブレースバー
７  ヘッド
８  ギター線
９  指板調整鉄芯
１６、１６'、１６ａ、１６'ａ、１６ｂ、１６'ｂ  ブレースバー
２６、２６ａ  ブレースバー
【図１】
2005156637.tif 000003
【図２】
2005156637.tif 000004
【図３】
2005156637.tif 000005
【図４】
2005156637.tif 000006
【図５】
2005156637.tif 000007
【図６】
2005156637.tif 000008
【図７】
2005156637.tif 000009
【図８】
2005156637.tif 000010
【図９】
2005156637.tif 000011